(57)【要約】【解決手段】皮むき器１においては、先端部に刃体５を有する皮むき腕２と先端部に凹凸歯８を有する支持腕３とを互いに分離して備えている。皮むき腕２の内側と支持腕３の内側とが互いに連続してそれらの内側間で生じる皮むき空間を皮むき腕２の先端部と支持腕３の先端部との間の皮むき口で開放した連結状態Ｐで皮むき器１を使用するばかりではなく、皮むき腕２と支持腕３とを互いに分離して、皮むき腕２のみを使用したり、支持腕３のみを使用したりすることができる。また、皮むき腕２に支持腕３を重合した連結状態で皮むき器１を使用することもできる。【効果】多様な使用状態で皮むき器１を使用することができ、使い勝手の良い皮むき器１を提供することができる。【選択図】図１
2018086072.tif 000002
【特許請求の範囲】
【請求項１】
先端部に刃体を有する皮むき腕と先端部に当接部を有する支持腕とを互いに分離して備え、この両先端部間に間隔をあけて皮むき腕と支持腕とを第一連結部で互いに着脱可能に連結し得ることを特徴とする皮むき器。
【請求項２】
前記第一連結部による連結状態では、皮むき腕の厚み方向の両側である内側及び外側と、支持腕の厚み方向の両側である内側及び外側とのうち、皮むき腕の内側と支持腕の内側とが互いに連続してそれらの内側間で生じる皮むき空間を皮むき腕の先端部と支持腕の先端部との間の皮むき口で開放したことを特徴とする請求項１に記載の皮むき器。
【請求項３】
前記第一連結部による連結状態において、皮むき腕及び支持腕はそれらの先端部間で互いに接近及び離間し得ることを特徴とする請求項１または請求項２に記載の皮むき器。
【請求項４】
前記第一連結部による連結状態において、皮むき腕及び支持腕は、弾性力により両先端部を互いに離間させて両先端部間の皮むき口を保持することができ、両先端部間の皮むき口でその弾性力に抗して両先端部を互いに接近させ得ることを特徴とする請求項３に記載の皮むき器。
【請求項５】
前記第一連結部による連結状態において、皮むき腕と支持腕とのうち少なくとも一方に持たせた可撓性により弾性力を生じさせることを特徴とする請求項４に記載の皮むき器。
【請求項６】
前記皮むき腕において刃体の刃縁の延設方向は、皮むき腕の先端部と基端部とを結ぶ長手方向に交差していることを特徴とする請求項１〜５のうちいずれか一つの請求項に記載の皮むき器。
【請求項７】
前記皮むき腕に支持腕を第二連結部で着脱可能に連結することができ、この第二連結部による連結状態では、この皮むき腕に支持腕を皮むき腕の刃体を避けて重合し得ることを特徴とする請求項１〜６のうちいずれか一つの請求項に記載の皮むき器。
【発明の詳細な説明】
【技術分野】
【０００１】
本発明はカボチャやジャガイモや里芋などの具の外皮を剥く場合に使用する皮むき器に関するものである。
【背景技術】
【０００２】
下記の特許文献１にかかる皮むき器においては、先端部に刃体を有する皮むき腕と先端部に当接部を有する支持腕とからＵ状に一体成形された把持腕を把持して皮むき腕の刃体と支持腕の当接部とを具の外皮に当てがった状態で、把持腕を移動させると、皮むき腕の刃体により具の外皮を剥くことができる。
【先行技術文献】
【特許文献】
【０００３】
【特許文献１】実公昭２５−８０７０号公報
【発明の概要】
【発明が解決しようとする課題】
【０００４】
上記の特許文献１にかかる皮むき器において、支持腕の当接部を具の外皮に当てがわない状態で皮むき腕の刃体のみを使用する場合に、把持腕を上下反転させて皮むき腕の刃体のみを具の外皮に当てがった状態で皮むき腕を移動させると、皮むき腕の刃体により具の外皮を剥くことができる。
【０００５】
このように皮むき腕の刃体のみを使用する場合には、上下反転させた把持腕において支持腕が具の外皮から突出するため、通常、その支持腕を把持する。支持腕を把持した場合には、皮むき腕に力が入りにくいため、皮むき腕を把持することもあるが、外皮から突出する支持腕が邪魔して皮むき腕を把持しにくい。従って、皮むき器の使い勝手が悪い。
【０００６】
この発明は、使い勝手の良い皮むき器を提供することを目的としている。
【課題を解決するための手段】
【０００７】
後記実施形態の図面（図１〜５）の符号を援用して本発明を説明する。
請求項１の発明にかかる皮むき器（１）においては、先端部に刃体（５）を有する皮むき腕（２）と先端部に当接部（８）を有する支持腕（３）とを互いに分離して備え、この両先端部間に間隔をあけて皮むき腕（２）と支持腕（３）とを第一連結部（６，９）で互いに着脱可能に連結し得る。
【０００８】
請求項１の発明では、皮むき腕（２）と支持腕（３）とを互いに連結した皮むき器（１）を使用するばかりではなく、皮むき腕（２）と支持腕（３）とを互いに分離して、皮むき腕（２）のみを使用したり、支持腕（３）のみを使用したりすることができる。従って、多様な使用状態で皮むき器（１）を使用して、使い勝手の良い皮むき器（１）を提供することができる。また、皮むき腕（２）と支持腕（３）とを互いに連結した皮むき器（１）を使用する場合に、両先端部間の間隔に指を入れて皮むき器（１）を容易にかつ安全に把持することができる。
【０００９】
請求項１の発明を前提とする請求項２の発明において、第一連結部（６，９）による連結状態（Ｐ）では、皮むき腕（２）の厚み方向の両側である内側及び外側と、支持腕（３）の厚み方向の両側である内側及び外側とのうち、皮むき腕（２）の内側と支持腕（３）の内側とが互いに連続してそれらの内側間で生じる皮むき空間（１１）を皮むき腕（２）の先端部と支持腕（３）の先端部との間の皮むき口（１１ａ）で開放した。請求項２の発明では、皮むき腕（２）と支持腕（３）とを互いに連結した皮むき器（１）を使用する場合に、皮むき口（１１ａ）で皮むき腕（２）の先端部と支持腕（３）の先端部とが間隔をあけて具に当接するため、皮むき器（１）が安定して具に接触し、さらには皮むき空間（１１）に指を入れて皮むき器（１）を容易にかつ安全に把持することができる。
【００１０】
請求項１または請求項２の発明を前提とする請求項３の発明にかかる第一連結部（６，９）による連結状態（Ｐ）において、皮むき腕（２）及び支持腕（３）はそれらの先端部間で互いに接近及び離間し得る。請求項３の発明では、皮むき腕（２）の先端部と支持腕（３）の先端部とを互いに接近及び離間させて、皮むき作業を容易に行うことができる。
【００１１】
請求項３の発明を前提とする請求項４の発明にかかる第一連結部（６，９）による連結状態（Ｐ）において、皮むき腕（２）及び支持腕（３）は、弾性力により両先端部を互いに離間させて両先端部間の皮むき口（１１ａ）を保持することができ、両先端部間の皮むき口（１１ａ）でその弾性力に抗して両先端部を互いに接近させ得る。請求項４の発明では、皮むき腕（２）の先端部と支持腕（３）の先端部とを弾性力を利用して容易に接近及び離間させることができる。
【００１２】
請求項４の発明を前提とする請求項５の発明にかかる第一連結部（６，９）による連結状態（Ｐ）において、皮むき腕（２）と支持腕（３）とのうち少なくとも一方に持たせた可撓性により弾性力を生じさせる。請求項５の発明では、皮むき腕（２）と支持腕（３）とのうち少なくとも一方に持たせた可撓性により弾性力を容易に生じさせることができる。
【００１３】
請求項１〜５のうちいずれか一つの請求項の発明を前提とする請求項６の発明にかかる皮むき腕（２）において、刃体（５）の刃縁（５ａ）の延設方向（Ｙ）は、皮むき腕（２）の先端部と基端部とを結ぶ長手方向（Ｘ）に交差している。請求項６の発明では、皮むき腕（２）を長手方向（Ｘ）に移動させて具の外皮（Ｋ）を剥くことができる。
【００１４】
請求項１〜６のうちいずれか一つの請求項の発明を前提とする請求項７の発明において、皮むき腕（２）に支持腕（３）を第二連結部（７，１０）で着脱可能に連結することができ、この第二連結部（７，１０）による連結状態（Ｑ）では、この皮むき腕（２）に支持腕（３）を皮むき腕（２）の刃体（５）を避けて重合し得る。請求項７の発明では、皮むき腕（２）と支持腕（３）とを互いに分離した場合に、第二連結部（７，１０）で皮むき腕（２）に支持腕（３）を連結して支持腕（３）の紛失を防ぐばかりではなく、支持腕（３）により邪魔されることなく皮むき腕（２）により具の外皮（Ｋ）を剥くことができる。
【００１５】
次に、請求項以外の技術的思想について実施形態の図面の符号を援用して説明する。
請求項１〜７のうちいずれか一つの請求項の発明を前提とする第８の発明にかかる第一連結部（６，９）による連結状態（Ｐ）において、第一連結部（６，９）を皮むき腕（２）の基端部と支持腕（３）の基端部とに設けた。第８の発明では、皮むき腕（２）及び支持腕（３）に第一連結部（６，９）を容易に設けることができる。
【００１６】
第８の発明を前提とする第９の発明にかかる第一連結部（６，９）による連結状態（Ｐ）において、第一連結部は皮むき腕（２）の基端部と支持腕（３）の基端部とのうち一方の基端部に設けた係止突部（６）と他方の基端部に設けた係止孔部（９）とを互いに嵌合したものである。第９の発明では、係止突部（６）と係止孔部（９）とにより簡単な第一連結部にすることができる。
【００１７】
請求項１〜７のうちいずれか一つの請求項の発明、または第８の発明または第９の発明を前提とする第１０の発明にかかる皮むき腕（２）において刃体（５）は、皮むき腕（２）の先端部と基端部とを結ぶ長手方向（Ｘ）に交差する方向（Ｙ）へ延びる中心線（４ａ）を中心に回動可能に支持されている。第１０の発明では、具の外皮（Ｋ）の形態が曲面であったり凹凸形状等であったりしても、皮むき腕（２）をその長手方向（Ｘ）に移動させる際に、刃体（５）はその形態に順応して回動するため、具の外皮（Ｋ）を容易に剥くことができる。
【００１８】
第１０の発明を前提とする第１１の発明にかかる皮むき腕（２）において刃体（５）は、皮むき腕（２）の幅方向（Ｙ）へ延びる中心線（４ａ）を中心に回動可能に支持され、その刃体（５）の刃縁（５ａ）の延設方向（Ｙ）は皮むき腕（２）の幅方向（Ｙ）へ延びる。第１１の発明では、皮むき腕（２）をその長手方向（Ｘ）に移動させて刃体（５）により具の外皮（Ｋ）を容易に剥くことができる。
【００１９】
請求項７の発明を前提とする第１２の発明にかかる第二連結部（７，１０）による連結状態（Ｑ）において、皮むき腕（２）の厚み方向の両側である内側及び外側と、支持腕（３）の厚み方向の両側である内側及び外側とのうち、皮むき腕（２）の外側に支持腕（３）の内側を重合し得る。第１２の発明では、皮むき腕（２）と支持腕（３）とを互いに分離して第二連結部（７，１０）で皮むき腕（２）に支持腕（３）を連結した場合に、支持腕（３）により邪魔されることなく皮むき腕（２）により具の外皮（Ｋ）を剥くことができる。
【００２０】
第１２の発明を前提とする第１３の発明にかかる第二連結部（７，１０）による連結状態（Ｑ）において、支持腕（３）の当接部（８）は皮むき腕（２）の刃体（５）に隣接している。第１３の発明では、皮むき腕（２）に支持腕（３）をコンパクトに重合することができる。
【００２１】
請求項７の発明または第１２の発明または第１３の発明を前提とする第１４の発明にかかる第二連結部（７，１０）による連結状態（Ｑ）において、第二連結部は、支持腕（３）と皮むき腕（２）とのうち、一方に設けた係止突部（１０）と他方に設けた係止孔部（７）とを互いに嵌合したものである。第１４の発明では、係止突部（１０）と係止孔部（７）とにより簡単な第二連結部にすることができる。
【００２２】
請求項１〜７のうちいずれか一つの請求項の発明、または第８〜１４の発明のうちいずれか一つの発明を前提とする第１５の発明において、支持腕（３）の当接部は凹凸歯（８）を有している。第１５の発明では、皮むき腕（２）と支持腕（３）とを互いに連結した皮むき器（１）を使用する場合に、支持腕（２）を当接部としての凹凸歯（８）により具の外皮（Ｋ）に容易に支持することができる。また、当接部としての凹凸歯（８）を利用して支持腕（３）のみを有効に使用することができる。
【発明の効果】
【００２３】
本発明は、多様な使用状態で皮むき器（１）を使用することができ、使い勝手の良い皮むき器（１）を提供することができる。
【図面の簡単な説明】
【００２４】
【図１】（ａ）は第一連結部による連結状態にある皮むき器を正面側から見た斜視図であり、（ｂ）は同じく背面側から見た斜視図である。
【図２】（ａ）は図１（ａ）（ｂ）の皮むき器を示す一部切欠き側面図であり、（ｂ）は図１（ａ）（ｂ）の皮むき器の使用状態を示す側面図である。
【図３】（ａ）は図１（ａ）（ｂ）の皮むき器から分離した皮むき腕を正面側から見た斜視図であり、（ｂ）はその皮むき腕の一部切欠き側面図であり、（ｃ）はその皮むき腕の使用状態を示す側面図である。
【図４】（ａ）は図１（ａ）（ｂ）の皮むき器から分離した支持腕を正面側から見た斜視図であり、（ｂ）はその支持腕の一部切欠き側面図であり、（ｃ）はその支持腕の使用状態を示す側面図である。
【図５】（ａ）は第二連結部による連結状態にある皮むき器を正面側から見た斜視図であり、（ｂ）はその皮むき器の一部切欠き側面図であり、（ｃ）はその皮むき器の使用状態を示す側面図である。
【発明を実施するための形態】
【００２５】
以下、本発明の一実施形態について図面を参照して説明する。
図１，２に示す皮むき器１において、図３に示すように支持腕３から分離された皮むき腕２はプラスチック例えばポリプロピレン樹脂により湾曲板状に成形され、その皮むき腕２の先端部と基端部とを結ぶ長手方向Ｘの中間部から二股状の腕部４が長手方向Ｘに交差する幅方向Ｙの両側で先端側に向けて延設されている。刃体５は両腕部４間で幅方向Ｙへ延びる中心線４ａを中心に所定角度範囲だけ回動可能に支持され、刃体５の刃縁５ａの延設方向も幅方向Ｙへ延びる。皮むき腕２の基端部には第一連結部としての係止突部６が形成されている。皮むき腕２において両腕部４と係止突部６との間には第二連結部としての二つの係止孔部７が皮むき腕２の厚み方向の両側である内側及び外側との間で貫設されている。
【００２６】
図１，２に示す皮むき器１において、図４に示すように皮むき腕２から分離された支持腕３はプラスチック例えばポリプロピレン樹脂により湾曲板状に成形され、支持腕３の先端部には支持腕３の先端部と基端部とを結ぶ長手方向Ｘに交差する幅方向Ｙへ延びる当接部としての凹凸歯８が形成されている。支持腕３の基端部には第一連結部としての係止孔部９が支持腕３の厚み方向の両側である内側と外側との間で貫設されている。支持腕３の内側において凹凸歯８と係止孔部９との間には第二連結部としての二つの係止突部１０が形成されている。
【００２７】
図１，２に示すように、皮むき腕２の係止突部６を支持腕３の係止孔部９に着脱可能に嵌合した第一連結状態Ｐにおいては、皮むき腕２の内側と支持腕３の内側とが互いに間隔をあけてＵ状に連続し、それらの内側間で生じる皮むき空間１１が皮むき腕２の先端部と支持腕３の先端部との間の皮むき口１１ａで開放されている。皮むき口１１ａで刃体５の刃縁５ａと凹凸歯８との間隔は約５５ｍｍに設定されている。皮むき腕２と支持腕３とは、それらの基端部から片持ち梁状に延設されて可撓性により弾性力を生じる。その弾性力により皮むき腕２の先端部と支持腕３の先端部とが互いに離間してその両先端部間の皮むき口１１ａを保持することができ、その皮むき口１１ａで両先端部が弾性力に抗して互いに接近する。皮むき空間１１で皮むき口１１ａと皮むき腕２及び支持腕３の基端部との間隔は約９５ｍｍに設定されている。皮むき腕２と支持腕３とを同じ撓み易さにしてもよいが、皮むき腕２の厚みを支持腕３の厚みより小さくしたり、皮むき腕２側に第二連結部としての二つの係止孔部７を設けたり、基端部側の係止孔部７を敢えて長孔にしたりすると、支持腕３が皮むき腕２より変形しにくくなるため、皮むき腕２を支持腕３より撓み易くすることができる。
【００２８】
図５に示すように、支持腕３の両係止突部１０を皮むき腕２の両係止孔部７に着脱可能に嵌合した第二連結状態Ｑにおいては、皮むき腕２の外側に支持腕３の内側が重合され、皮むき腕２の基端部と支持腕３の基端部とが互いに近接するとともに、皮むき腕２の先端部と支持腕３の先端部とが互いに近接する。その場合、支持腕３の凹凸歯８が皮むき腕２の両腕部４間を避けて刃体５に隣接する。
【００２９】
次に、皮むき器１の使用例を述べる。
図１，２に示す第一連結状態Ｐにある皮むき器１を使用する場合には、図２（ｂ）に示すように、皮むき腕２の刃体５と支持腕３の凹凸歯８とをカボチャ等の具の外皮Ｋに当てがう。その状態で位置決めされた支持腕３に皮むき腕２を弾性力に抗して接近させると、具の外皮Ｋの所定長さ分だけを刃体５により剥くことができる。その後、剥き終わった位置で皮むき腕２の刃体５を保持するとともに、支持腕３の凹凸歯８を弾性力により皮むき腕２の刃体５から離間させ、その離間状態で支持腕３の凹凸歯８を具の外皮Ｋに当接させると、皮むき腕２の刃体５と支持腕３の凹凸歯８との間で次に剥く範囲が定められる。その後再び、位置決めされた支持腕３に皮むき腕２を弾性力に抗して接近させると、皮むき口１１ａで皮むき腕２の刃体５により具の外皮Ｋを剥くことができる。この動作を繰り返して、尺取虫のような動きで具の外皮Ｋを剥くことができる。
【００３０】
図５に示す第二連結状態Ｑにある皮むき器１を使用する場合には、図５（ｃ）に示すように、皮むき腕２及び支持腕３を把持して皮むき腕２の刃体５のみをカボチャ等の具の外皮Ｋに当てがう。その状態で皮むき腕２を移動させると、その刃体５により具の外皮Ｋを剥くことができる。
【００３１】
図３に示すように支持腕３から分離された皮むき腕２のみを使用する場合には、図３（ｃ）に示すように、皮むき腕２を把持してその刃体５をカボチャ等の具の外皮Ｋに当てがう。その状態で皮むき腕２を移動させると、その刃体５により具の外皮Ｋを剥くことができる。
【００３２】
図４に示すように皮むき腕２から分離された支持腕３のみを使用する場合には、図４（ｃ）に示すように、支持腕３を把持してその凹凸歯８をカボチャ等の具の内側に当てがう。その状態で支持腕３を移動させると、その凹凸歯８により例えばカボチャの種Ｔを取り除くことができる。
【００３３】
本実施形態は下記の効果を有する。
（１）  皮むき腕２と支持腕３とを互いに連結したり、皮むき腕２と支持腕３とを互いに分離して、皮むき腕２のみを使用したり、支持腕３のみを使用したり、支持腕３を重合した皮むき腕を使用したりして、多様な使用状態で皮むき器１を使用することができる。従って、使い勝手の良い皮むき器１を提供することができる。
【００３４】
（２）  皮むき腕２と支持腕３とを互いに分離して、支持腕３を重合した皮むき腕２を使用する場合、支持腕３の紛失を防ぐとともに、皮むき器１を狭小空間にまとめて保管することができる。
【００３５】
（３）  カボチャのように厚く堅い外皮Ｋを通常の皮むき器を用いて剥く場合、皮むき器を持った一方の手指に力を入れ過ぎるため、カボチャを持っている他方の手指に皮むき器の刃が当ってしまう場合がある。前述したように、皮むき器１は尺取虫のような動きで外皮Ｋを剥いていくため、皮むき器１を持った一方の手指やカボチャを持っている他方の手指が刃体５に当たる前に支持腕３の先端部に当たり、安全に外皮Ｋを剥くことができる。また、カボチャのように大きなものをまな板の上などに置いて皮むき器１を上から押さえ付けながら外皮Ｋを剥く場合や、里芋などのように小さなものの外皮Ｋを剥く場合も一方や他方の手指に刃体５が当たりにくくなり、使い勝手の良い皮むき器１を提供することができる。
【００３６】
（４）  支持腕３を皮むき腕２より変形しにくくして、皮むき腕２を支持腕３より撓み易くした場合、皮むき作業を安定して容易に行うことができる。
前記実施形態以外にも例えば下記のように構成してもよい。
【００３７】
・  前記実施形態において、第二連結部としての皮むき腕２の両係止孔部７及び支持腕３の両係止突部１０を省略することができる。従って、図５に示す第二連結状態Ｑは省略される。
【００３８】
・  前記実施形態において、図１，２に示す第一連結状態Ｐにある皮むき器１として使用する場合、皮むき腕２の可撓性による弾性力と支持腕３の可撓性による弾性力とを同じに設定してもよいが、それらの弾性力を互いに相違させてもよい。例えば、支持腕３の可撓性による弾性力をなくして、皮むき腕２のみに可撓性による弾性力を持たせることができる。
【００３９】
・  前記実施形態では、刃体５の刃縁５ａの延設方向が長手方向Ｘに直交する幅方向Ｙに交差しているが、その延設方向を長手方向Ｘに対し任意角度で交差させてもよい。
・  前記実施形態において、図５に示す第二連結状態Ｑで皮むき腕２に対する支持腕３の重合構造を変更することができる。
【００４０】
・  支持腕３の当接部８としては、使用時に皮むき腕２を支持腕３に対し弾性力に抗して接近させて具の外皮Ｋを剥く際に外皮Ｋの表面で滑りにくくするため、凹凸歯のように外皮Ｋに食い込み易い形状にしたり、外皮Ｋに対し滑りにくい形状や材質にしたりすることが好ましい。
【００４１】
・  第一連結部である係止突部６や係止孔部９としては、支持腕３に係止突部を設けるとともに皮むき腕２に係止孔部を設けたり、皮むき腕２と支持腕３とのうち一方に長手方向Ｘまたは幅方向Ｙに延びる蟻溝を設けるとともに他方にはその蟻溝に係合する蟻（ほぞ）を設けたりしてもよい。また、第一連結部としてバヨネット結合や磁力による結合を用いてもよい。
【００４２】
・  第二連結部である係止突部１０や係止孔部７の数としては、一または三以上であってもよい。また、第二連結部としては、皮むき腕２と支持腕３とのうち一方が他方に対して長手方向Ｘまたは幅方向Ｙにスライドして結合したり、磁力による結合を用いてもよい。
【００４３】
・  刃体５を皮むき腕２の両腕部４に対し着脱可能または交換可能に設けてもよい。
・  皮むき腕２と支持腕３とを異なる色で成形して互いに区別することができるようにしてもよい。
【００４４】
・  皮むき腕２と支持腕３とをプラスチック以外の材料、例えば金属等で成形してもよい。
・  具としては、カボチャ以外に、ジャガイモや里芋やりんご等の果物や大根や人参等であってもよく、特に限定されない。
【符号の説明】
【００４５】
１…皮むき器、２…皮むき腕、３…支持腕、５…刃体、５ａ…刃縁、６…第一連結部としての係止突部、７…第二連結部としての係止孔部、８…当接部としての凹凸歯、９…第一連結部としての係止孔部、１０…第二連結部としての係止突部、１１…皮むき空間、１１ａ…皮むき口、Ｙ…幅方向（刃縁の延設方向）、Ｘ…皮むき腕の長手方向、Ｐ…第一連結部による連結状態、Ｑ…第二連結部による連結状態。
【図１】
2018086072.tif 000003
【図２】
2018086072.tif 000004
【図３】
2018086072.tif 000005
【図４】
2018086072.tif 000006
【図５】
2018086072.tif 000007